(57)【要約】【課題】  たとえ本物のキーが盗まれた場合であっても車両の盗難を防止する。【解決手段】  車両盗難防止システムは、車両のエンジンの作動の許否を制御する車両制御部５０および車両端末３０と、車両端末３０に通信ネットワーク１０を介して接続された管理サーバー端末４０とを有する。管理サーバー端末４０は、エンジンの作動ロックを解除させる際に、管理サーバー端末４０が予め記憶している動作パスワードを車両端末３０に送信する。車両端末３０は、エンジンの作動ロックを解除させる際に、管理サーバー端末４０から受信した動作パスワードと車両端末３０が予め記憶している動作パスワードとを照合して、両者が一致している場合に車両制御部５０にロック解除信号を送信する。車両制御部５０は、車両端末３０からロック解除信号を受信した場合にエンジンの作動ロックを解除させる。【選択図】図１
2005088786.tif 000002
【特許請求の範囲】
【請求項１】
共に車両に設置された、前記車両のエンジンの作動の許否を制御する車両制御部および該車両制御部に電気的に接続された車両端末と、前記車両端末に通信ネットワークを介して接続された管理サーバー端末とを有する車両盗難防止システムを用いた車両盗難防止方法であって、
前記管理サーバー端末が動作パスワードを生成して記憶した後に前記車両端末に前記動作パスワードを送信するステップと、前記動作パスワードを受信した前記車両端末が前記動作パスワードを記憶した後に前記車両制御部にロック信号を送信するステップと、前記ロック信号を受信した前記車両制御部が前記車両のエンジンの作動をロックさせるステップとを含むロックステップと、
前記管理サーバー端末が記憶している前記動作パスワードを前記車両端末に送信するステップと、前記動作パスワードを受信した前記車両端末が、前記車両端末が記憶している前記動作パスワードと前記車両端末が前記管理サーバー端末から受信した前記動作パスワードとを照合して、両者が一致している場合に前記車両制御部にロック解除信号を送信するステップと、前記ロック解除信号を受信した前記車両制御部が前記車両のエンジンの作動ロックを解除させるステップとを含むロック解除ステップと、を有する車両盗難防止方法。
【請求項２】
前記車両盗難防止システムは前記管理サーバー端末に通信ネットワークを介して接続されたユーザー端末をさらに含んでおり、
前記管理サーバー端末は、前記ユーザー端末の個体情報、前記ユーザー端末が前記通信ネットワークを介して前記管理サーバー端末にアクセスするための認証パスワード情報、および前記車両の個体情報の３つの情報を互いに関連付けて格納したデーターベースを備えており、
前記ロックステップにおいて前記管理サーバー端末が動作パスワードを生成して記憶した後に前記車両端末に前記動作パスワードを送信するステップと、前記ロック解除ステップにおいて前記管理サーバー端末が記憶している前記動作パスワードを前記車両端末に送信するステップとは、前記ユーザー端末から前記管理サーバー端末に前記３つの情報が送信され、前記管理サーバー端末が、前記データーベースに格納されている前記３つの情報と前記ユーザー端末から受信した前記３つの情報とを照合して、両者が一致していると判断した場合に行われる、請求項１に記載の車両盗難防止方法。
【請求項３】
前記車両端末は、前記ユーザー端末に電気的に接続されており、前記ユーザー端末を介して前記管理サーバー端末と通信を行う、請求項２に記載の車両盗難防止方法。
【請求項４】
前記車両盗難防止システムは前記管理サーバー端末に通信ネットワークを介して接続されたユーザー端末をさらに含み、前記車両端末はＧＰＳ受信機を備えており、
前記車両端末が、前記車両が移動させられていることを前記ＧＰＳ受信機によって検知した場合に前記車両制御部に車両移動検知信号を送信するステップと、
前記車両移動検知信号を受信した前記車両制御部が、前記エンジンが作動中か否かを判断し、前記エンジンが作動中でない場合に前記車両端末にエンジン非作動中信号を送信するステップと、
前記エンジン非作動中信号を受信した前記車両端末が、前記管理サーバー端末に前記エンジン非作動中信号を送信するステップと、
前記エンジン非作動中信号を受信した前記管理サーバー端末が、前記ユーザー端末に、前記車両が移動させられている旨を示す車両移動情報を送信するステップとを含む車両移動通知ステップをさらに有する、請求項１または２に記載の車両盗難防止方法。
【請求項５】
前記車両端末が前記管理サーバー端末に前記エンジン非作動中信号を送信するステップは、前記ＧＰＳ受信機によって検知した前記車両の現在位置情報を、前記エンジン非作動中信号とともに前記管理サーバー端末に送信することを含み、
前記管理サーバー端末が前記ユーザー端末に前記車両移動情報を送信するステップは、前記車両の現在位置情報を前記車両移動情報とともに前記ユーザー端末に送信することを含む、請求項４に記載の車両盗難防止方法。
【請求項６】
共に車両に設置された、前記車両のエンジンの作動の許否を制御する車両制御部および該車両制御部に電気的に接続された車両端末と、前記車両端末に通信ネットワークを介して接続された管理サーバー端末とを有する車両盗難防止システムであって、
前記管理サーバー端末は、前記車両のエンジンの作動をロックさせる際に、動作パスワードを生成して記憶した後に前記車両端末に前記動作パスワードを送信する動作と、前記車両のエンジンの作動ロックを解除させる際に、前記管理サーバー端末が記憶している前記動作パスワードを前記車両端末に送信する動作とを行うように構成されており、
前記車両端末は、前記車両のエンジンの作動をロックさせる際に、前記管理サーバー端末から受信した前記動作パスワードを記憶した後に前記車両制御部にロック信号を送信する動作と、前記車両のエンジンの作動ロックを解除させる際に、前記管理サーバー端末から受信した前記動作パスワードと前記車両端末が記憶している前記動作パスワードとを照合して、両者が一致している場合に前記車両制御部にロック解除信号を送信する動作とを行うように構成されており、
前記車両制御部は、前記車両端末から前記ロック信号を受信した場合に前記車両のエンジンの作動をロックさせる動作と、前記車両端末から前記ロック解除信号を受信した場合に前記車両のエンジンの作動ロックを解除させる動作とを行うように構成されている、車両盗難防止システム。
【請求項７】
前記車両盗難防止システムは前記管理サーバー端末に通信ネットワークを介して接続されたユーザー端末をさらに含んでおり、
前記管理サーバー端末は、前記ユーザー端末の個体情報、前記ユーザー端末が前記通信ネットワークを介して前記管理サーバー端末にアクセスするための認証パスワード情報、および前記車両の個体情報の３つの情報を互いに関連付けて格納したデーターベースを備えており、
前記管理サーバー端末が行う、前記車両のエンジンの作動をロックさせる際に、動作パスワードを生成して記憶した後に前記車両端末に前記動作パスワードを送信する動作と、前記車両のエンジンの作動ロックを解除させる際に、前記管理サーバー端末が記憶している前記動作パスワードを前記車両端末に送信する動作とは、前記ユーザー端末から前記管理サーバー端末に前記３つの情報が送信され、前記管理サーバー端末が、前記データーベースに格納されている前記３つの情報と前記ユーザー端末から受信した前記３つの情報とを照合して、両者が一致していると判断した場合に行われるように構成されている、請求項６に記載の車両盗難防止システム。
【請求項８】
前記車両端末は、前記ユーザー端末に電気的に接続されており、前記ユーザー端末を介して前記管理サーバー端末と通信を行うように構成されている、請求項７に記載の車両盗難防止システム。
【請求項９】
前記車両盗難防止システムは前記管理サーバー端末に通信ネットワークを介して接続されたユーザー端末をさらに含み、前記車両端末はＧＰＳ受信機を備えており、
前記車両端末は、前記車両が移動させられていることを前記ＧＰＳ受信機によって検知した場合に前記車両制御部に車両移動検知信号を送信し、
前記車両制御部は、前記車両移動検知信号を受信すると、前記エンジンが作動中か否かを判断し、前記エンジンが作動中でない場合に前記車両端末にエンジン非作動中信号を送信し、
前記車両端末は、前記エンジン非作動中信号を受信すると、前記管理サーバー端末に前記エンジン非作動中信号を送信し、
前記管理サーバー端末は、前記エンジン非作動中信号を受信すると、前記ユーザー端末に、前記車両が移動させられている旨を示す車両移動情報を送信するように構成されている、請求項６または７に記載の車両盗難防止システム。
【請求項１０】
前記車両端末は、前記管理サーバー端末に前記エンジン非作動中信号を送信する際に、前記ＧＰＳ受信機によって検知した前記車両の現在位置情報を前記エンジン非作動中信号とともに前記管理サーバー端末に送信し、
前記管理サーバー端末は、前記ユーザー端末に前記車両移動情報を送信する際に、前記車両の現在位置情報を前記車両移動情報とともに前記ユーザー端末に送信するように構成されている、請求項９に記載の車両盗難防止システム。
【発明の詳細な説明】
【技術分野】
【０００１】
本発明は、車両の盗難を防止する盗難防止方法および盗難防止システムに関するものである。
【背景技術】
【０００２】
従来から、車両の盗難防止システムとしてイモビライザーと呼ばれる電子式移動ロック装置が用いられている。
【０００３】
イモビライザーは、キー内部に埋め込まれたトランスポンダ（電子チップ）に記録されている固有の認証ＩＤコードと、車両側のコントローラに予め記録されている認証ＩＤコードとを電子的に照合し、両者の認証ＩＤコードが一致した場合にはエンジンの点火回路をオンにしてエンジンを作動可能にし、一致しない場合にはエンジンの点火回路をオフのままにしてエンジンを作動不能にする装置である。
【０００４】
このイモビライザーによれば、たとえ第三者が歯形を不正に複製したキーで車両内に侵入できたとしても、そのキーは所定の認証ＩＤコードを記憶したトランスポンダを備えていないためエンジンを始動することができないので、車両を自走させて持ち去ることを防ぐことができる。また、その認証ＩＤコードは、暗号化技術を用いて作成された複雑なものであるので、それを複製することは困難である。そのため、イモビライザーは、現在存在する車両盗難セキュリティシステムの中でも最も防犯効果が高いシステムの一つであると考えられている。
【０００５】
また、車両窃盗の犯行抑止力を高めることを可能にする車両用セキュリティシステムが、特許文献１に開示されている。図８は、特許文献１に開示された車両用セキュリティシステムを示す図である。
【０００６】
この車両用セキュリティシステムの動作は以下の通りである。車両１０１が盗難され、それに気付いた車両１０１の所有者から基地局１０２に携帯電話機１０３を介して盗難の連絡があった場合には、基地局１０２は、テレマＥＣＵ１１１にイモビ指示信号を送信する。そして、テレマＥＣＵ１１１は、ボデーＥＣＵ１１２から暗号要求信号ｘ１の送信があった場合でも、応答信号ｙ１を送信しない。この時、ボデーＥＣＵ１１２では、暗号要求信号ｘ１を送信してから所定期間内に応答信号ｙ１を受信しないため、車両盗難があったものと判断し、エンジンＥＣＵ１１５に応答信号ｘ２を送信しないようにする。そして、エンジンＥＣＵ１１５では、暗号要求信号ｘ２を送信してから所定期間内に応答信号ｙ２を受信しないため、車両１０１が盗難されたと判断し、エンジンを作動させないようにする。
【特許文献１】特開２００３−１４６１８５号公報
【発明の開示】
【発明が解決しようとする課題】
【０００７】
しかしながら、車両がイモビライザーを備えていた場合であっても、その車両の本物のキー自体が盗まれた場合には、窃盗犯はそのキーを使用して車両内に簡単に侵入することができ、さらにはその認証ＩＤコードが車両側のコントローラの認証ＩＤコードと一致することから、エンジンを始動させて車両を持ち去ることが可能である。
【０００８】
さらに、車両を自走させて持ち去るのではなく、車両をレッカー車のクレーンで持ち上げて、レッカー車に車両を積み込んで運び去るという窃盗手口に対しては、車両がイモビライザーを備えていてもその効果は発揮されない。
【０００９】
また、特許文献１に開示された車両用セキュリティシステムは、車両が盗難された後に、それに気付いた車両の所有者が、それ以降に車両のエンジンを作動させないように車両のコントローラを遠隔的に操作する手段を提供するものであり、車両が盗難されてしまうことを未然に防止するものではない。また、この車両用セキュリティシステムによっては、盗難されて元の場所から移動した車両の現在位置を知ることはできない。
【００１０】
そこで本発明は、たとえ本物のキーが盗まれた場合であっても車両の盗難を防止することができる盗難防止方法および盗難防止システムを提供することを目的とする。
【００１１】
さらに、本発明は、レッカー移動等により車両が移動させられたとしても、ユーザーがその事実を知ることができ、車両の現在位置を知得することが可能な盗難防止方法および盗難防止システムを提供することを目的とする。
【課題を解決するための手段】
【００１２】
上記目的を達成するため、本発明の車両盗難防止方法は、共に車両に設置された、前記車両のエンジンの作動の許否を制御する車両制御部および該車両制御部に電気的に接続された車両端末と、前記車両端末に通信ネットワークを介して接続された管理サーバー端末とを有する車両盗難防止システムを用いた車両盗難防止方法であって、前記管理サーバー端末が動作パスワードを生成して記憶した後に前記車両端末に前記動作パスワードを送信するステップと、前記動作パスワードを受信した前記車両端末が前記動作パスワードを記憶した後に前記車両制御部にロック信号を送信するステップと、前記ロック信号を受信した前記車両制御部が前記車両のエンジンの作動をロックさせるステップとを含むロックステップと、前記管理サーバー端末が記憶している前記動作パスワードを前記車両端末に送信するステップと、前記動作パスワードを受信した前記車両端末が、前記車両端末が記憶している前記動作パスワードと前記車両端末が前記管理サーバー端末から受信した前記動作パスワードとを照合して、両者が一致している場合に前記車両制御部にロック解除信号を送信するステップと、前記ロック解除信号を受信した前記車両制御部が前記車両のエンジンの作動ロックを解除させるステップとを含むロック解除ステップとを有する。
【００１３】
上記本発明の車両盗難防止方法によれば、管理サーバー端末から車両端末に送られてきた動作パスワードと、車両端末が記憶している動作パスワードとが一致しなければ、エンジン作動のロックを解除するためのロック解除信号が車両端末から車両制御部に送信されず、エンジンは作動しない。そのため、車両のキーの合鍵が使用された場合のみならず、たとえ本物のキーが使用された場合であっても、それだけではエンジンを作動させることができず、車両を自走させて持ち去ることはできない。よって、車両の盗難をより確実に防止することが可能になる。
【００１４】
また、前記車両盗難防止システムは前記管理サーバー端末に通信ネットワークを介して接続されたユーザー端末をさらに含んでおり、前記管理サーバー端末は、前記ユーザー端末の個体情報、前記ユーザー端末が前記通信ネットワークを介して前記管理サーバー端末にアクセスするための認証パスワード情報、および前記車両の個体情報の３つの情報を互いに関連付けて格納したデーターベースを備えており、前記ロックステップにおいて前記管理サーバー端末が動作パスワードを生成して記憶した後に前記車両端末に前記動作パスワードを送信するステップと、前記ロック解除ステップにおいて前記管理サーバー端末が記憶している前記動作パスワードを前記車両端末に送信するステップとは、前記ユーザー端末から前記管理サーバー端末に前記３つの情報が送信され、前記管理サーバー端末が、前記データーベースに格納されている前記３つの情報と前記ユーザー端末から受信した前記３つの情報とを照合して、両者が一致していると判断した場合に行われる構成としてもよい。
【００１５】
この構成によれば、ユーザー端末を用いて上記の３つの情報を管理サーバー端末に送信しなければ、動作パスワードが管理サーバー端末から車両端末に送信されないので、車両の盗難に対するセキュリティをより高めることができる。
【００１６】
また、前記車両端末は、前記ユーザー端末に電気的に接続されており、前記ユーザー端末を介して前記管理サーバー端末と通信を行う構成としてもよい。
【００１７】
さらに、前記車両盗難防止システムは前記管理サーバー端末に通信ネットワークを介して接続されたユーザー端末をさらに含み、前記車両端末はＧＰＳ受信機を備えており、前記車両端末が、前記車両が移動させられていることを前記ＧＰＳ受信機によって検知した場合に前記車両制御部に車両移動検知信号を送信するステップと、前記車両移動検知信号を受信した前記車両制御部が、前記エンジンが作動中か否かを判断し、前記エンジンが作動中でない場合に前記車両端末にエンジン非作動中信号を送信するステップと、前記エンジン非作動中信号を受信した前記車両端末が、前記管理サーバー端末に前記エンジン非作動中信号を送信するステップと、前記エンジン非作動中信号を受信した前記管理サーバー端末が、前記ユーザー端末に、前記車両が移動させられている旨を示す車両移動情報を送信するステップとを含む車両移動通知ステップをさらに有する構成としてもよい。
【００１８】
この構成によれば、車両を自走させるのではなく、車両がレッカー車等を用いて持ち去られた場合であっても、その事実がユーザー端末を介してユーザーにすみやかに知らされる。その事実を知ったユーザーは、管理サーバー端末を管理する管理センターを通じてＧＰＳ受信機の位置を検出し、車両の現在位置を確認することが可能である。
【００１９】
さらには、前記車両端末が前記管理サーバー端末に前記エンジン非作動中信号を送信するステップは、前記ＧＰＳ受信機によって検知した前記車両の現在位置情報を、前記エンジン非作動中信号とともに前記管理サーバー端末に送信することを含み、前記管理サーバー端末が前記ユーザー端末に前記車両移動情報を送信するステップは、前記車両の現在位置情報を前記車両移動情報とともに前記ユーザー端末に送信することを含む構成としてもよい。
【００２０】
これにより、ユーザーは、車両がレッカー車等を用いて持ち去られた事実に加えて、その車両の現在位置をすみやかに知ることができる。
【００２１】
また、本発明の車両盗難防止システムは、共に車両に設置された、前記車両のエンジンの作動の許否を制御する車両制御部および該車両制御部に電気的に接続された車両端末と、前記車両端末に通信ネットワークを介して接続された管理サーバー端末とを有する車両盗難防止システムであって、前記管理サーバー端末は、前記車両のエンジンの作動をロックさせる際に、動作パスワードを生成して記憶した後に前記車両端末に前記動作パスワードを送信する動作と、前記車両のエンジンの作動ロックを解除させる際に、前記管理サーバー端末が記憶している前記動作パスワードを前記車両端末に送信する動作とを行うように構成されており、前記車両端末は、前記車両のエンジンの作動をロックさせる際に、前記管理サーバー端末から受信した前記動作パスワードを記憶した後に前記車両制御部にロック信号を送信する動作と、前記車両のエンジンの作動ロックを解除させる際に、前記管理サーバー端末から受信した前記動作パスワードと前記車両端末が記憶している前記動作パスワードとを照合して、両者が一致している場合に前記車両制御部にロック解除信号を送信する動作とを行うように構成されており、前記車両制御部は、前記車両端末から前記ロック信号を受信した場合に前記車両のエンジンの作動をロックさせる動作と、前記車両端末から前記ロック解除信号を受信した場合に前記車両のエンジンの作動ロックを解除させる動作とを行うように構成されている。
【００２２】
上記本発明の車両盗難防止システムによれば、管理サーバー端末から車両端末に送られてきた動作パスワードと、車両端末が記憶している動作パスワードとが一致しなければ、エンジン作動のロックを解除するためのロック解除信号が車両端末から車両制御部に送信されず、エンジンは作動しない。そのため、車両のキーの合鍵が使用された場合のみならず、たとえ盗難された本物のキーが使用された場合であっても、それだけではエンジンを作動させることができず、車両を自走させて持ち去ることはできない。よって、車両の盗難をより確実に防止することが可能になる。
【００２３】
また、前記車両盗難防止システムは前記管理サーバー端末に通信ネットワークを介して接続されたユーザー端末をさらに含んでおり、前記管理サーバー端末は、前記ユーザー端末の個体情報、前記ユーザー端末が前記通信ネットワークを介して前記管理サーバー端末にアクセスするための認証パスワード情報、および前記車両の個体情報の３つの情報を互いに関連付けて格納したデーターベースを備えており、前記管理サーバー端末が行う、前記車両のエンジンの作動をロックさせる際に、動作パスワードを生成して記憶した後に前記車両端末に前記動作パスワードを送信する動作と、前記車両のエンジンの作動ロックを解除させる際に、前記管理サーバー端末が記憶している前記動作パスワードを前記車両端末に送信する動作とは、前記ユーザー端末から前記管理サーバー端末に前記３つの情報が送信され、前記管理サーバー端末が、前記データーベースに格納されている前記３つの情報と前記ユーザー端末から受信した前記３つの情報とを照合して、両者が一致していると判断した場合に行われるように構成されていてもよい。
【００２４】
この構成によれば、ユーザー端末を用いて上記の３つの情報を管理サーバー端末に送信しなければ、動作パスワードが管理サーバー端末から車両端末に送信されないので、車両の盗難に対するセキュリティをより高めることができる。
【００２５】
また、前記車両端末は、前記ユーザー端末に電気的に接続されており、前記ユーザー端末を介して前記管理サーバー端末と通信を行うように構成されていてもよい。
【００２６】
さらに、前記車両盗難防止システムは前記管理サーバー端末に通信ネットワークを介して接続されたユーザー端末をさらに含み、前記車両端末はＧＰＳ受信機を備えており、前記車両端末は、前記車両が移動させられていることを前記ＧＰＳ受信機によって検知した場合に前記車両制御部に車両移動検知信号を送信し、前記車両制御部は、前記車両移動検知信号を受信すると、前記エンジンが作動中か否かを判断し、前記エンジンが作動中でない場合に前記車両端末にエンジン非作動中信号を送信し、前記車両端末は、前記エンジン非作動中信号を受信すると、前記管理サーバー端末に前記エンジン非作動中信号を送信し、前記管理サーバー端末は、前記エンジン非作動中信号を受信すると、前記ユーザー端末に、前記車両が移動させられている旨を示す車両移動情報を送信するように構成されていてもよい。
【００２７】
この構成によれば、車両を自走させるのではなく、車両がレッカー車等を用いて持ち去られた場合であっても、その事実がユーザー端末を介してユーザーにすみやかに知らされる。その事実を知ったユーザーは、管理サーバー端末を管理する管理センターを通じてＧＰＳ受信機の位置を検出し、車両の現在位置を確認することが可能である。
【００２８】
さらには、前記車両端末は、前記管理サーバー端末に前記エンジン非作動中信号を送信する際に、前記ＧＰＳ受信機によって検知した前記車両の現在位置情報を前記エンジン非作動中信号とともに前記管理サーバー端末に送信し、前記管理サーバー端末は、前記ユーザー端末に前記車両移動情報を送信する際に、前記車両の現在位置情報を前記車両移動情報とともに前記ユーザー端末に送信するように構成されていてもよい。
【００２９】
これにより、ユーザーは、車両がレッカー車等を用いて持ち去られた事実に加えて、その車両の現在位置をすみやかに知ることができる。
【発明の効果】
【００３０】
以上説明したように、本発明によれば、管理サーバー端末から車両端末に送られてきた動作パスワードと、車両端末が記憶している動作パスワードとが一致しなければ、エンジン作動のロックを解除するためのロック解除信号が車両端末から車両制御部に送信されず、エンジンは作動しないので、たとえ本物のキーが盗まれた場合であっても車両の盗難を防止することができる。
【００３１】
また、エンジンが作動中でない場合に車両が移動させられている場合にはユーザー端末に車両が移動させられていることを示す車両移動情報が送信されるので、レッカー移動等により車両が移動させられたとしても、ユーザーは、その事実を知得することができる。
【００３２】
さらに、車両の現在位置情報をその車両移動情報とともにユーザー端末に送信する構成とすることにより、ユーザーは、車両がレッカー車等を用いて持ち去られた事実に加えて、その車両の現在位置をすみやかに知ることができる。
【発明を実施するための最良の形態】
【００３３】
次に、本発明の実施形態について図面を参照して説明する。
【００３４】
（第１の実施形態）
図１は本発明の第１の実施形態に係る盗難防止システムの構成を示すブロック図である。
【００３５】
図１に示すように、本実施形態の盗難防止システムは、車両（不図示）の所有者が所持するユーザー端末２０と、車両内に設置される車両端末３０および車両制御部５０と、ユーザー端末２０および車両端末３０との間で「情報」のやり取りを行う管理サーバー端末４０とを有している。ユーザー端末２０、車両端末３０、および管理サーバー端末４０は、インターネット等の通信ネットワーク１０を介して相互に接続されている。また、車両端末３０と車両制御部５０とは車両内において互いに電気的に接続されている。
【００３６】
ここで、「情報」とは、車両の個体情報（車両の車体ナンバー等）と、ユーザー端末２０の個体情報（例えばユーザー端末２０が携帯電話である場合にはその電話番号、また、ユーザー端末２０が電子メールの送受信機能を備えている場合にはその電子メールアドレス等）と、ユーザー端末２０が管理サーバー端末４０にアクセスする際に必要な認証パスワードと、車両端末３０が車両制御部５０のロックを解除する場合やロックする場合に必要な動作パスワードとを含む。
【００３７】
なお、これらのユーザー端末２０、車両端末３０、車両制御部５０、および管理サーバー端末４０には、それぞれ、下記に説明する動作を各々実行するための制御プログラムが格納されている。その制御プログラムはハードウェアであるこれらの装置の動作を制御するものであり、プログラム制御されたこれらの装置はそのプログラムにより指令される特定の処理を行う。
【００３８】
ユーザー端末２０は、通信ネットワーク１０に接続が可能な携帯電話等の移動通信端末であり、管理サーバー端末４０にアクセスし、管理サーバー端末４０や車両端末３０との間で情報のやり取りを可能にする機能を備えている。
【００３９】
車両端末３０は、管理サーバー端末４０から送信されてくる動作パスワードを受信する機能と、その動作パスワードを記録しておく機能とを備えている。車両端末３０は、さらに、エンジン動作をロックさせるロック信号およびそのロックを解除するロック解除信号を車両制御部５０に対して送信することができる機能を備えている。また、車両端末３０は、それが取り付けられる車両の個体情報が記憶されている。さらに、車両端末３０は、ＧＰＳ受信機（不図示）を備えており、車両制御部５０と協働して、エンジンが動作していないにもかかわらずレッカー移動等によって車両が移動した場合にその旨の情報を管理サーバー端末４０に送信する機能を備えている。
【００４０】
管理サーバー端末４０は、この盗難防止システムを用いた盗難防止サービスを提供する管理センターに設置される、ワークステーション・サーバー等からなる情報処理装置である。管理サーバー端末４０は、ユーザー端末２０の個体情報、車両の個体情報、認証パスワード、および動作パスワードを互いに関連付けて格納するデーターベース（不図示）を有している。また、管理サーバー端末４０は、ユーザー端末２０および車両端末３０とそれぞれ情報のやり取りを行うためのインターフェース機能を備えている。
【００４１】
さらに、管理サーバー端末４０は、次回に車両のエンジンを作動させる際にロックを解除するための動作パスワードを生成して記憶するとともに、それを車両端末３０に送信する機能を備えている。管理サーバー端末４０は、動作パスワードを生成する度に異なる動作パスワードを生成して車両端末３０に付与することにより、管理サーバー端末４０から車両端末３０に送信された動作パスワードを他人が不正な手段で入手した場合に対する信頼性を高めている。
【００４２】
車両制御部５０は、車両端末３０に接続されており、車両端末３０からロック解除信号が送信されてこない限り、エンジンの作動を禁止する機能を備えている。また、車両のエンジンが作動しているか否かの情報を車両端末３０に送信する機能も備えている。
【００４３】
次に、本実施形態の盗難防止システムの各種動作について説明する。
【００４４】
＜エンジンのロック動作＞
図２は、図１に示した盗難防止システムによる、エンジンの作動をロックする動作を説明するためのフローチャートである。
【００４５】
まず、ユーザーは、ユーザー端末２０を通信ネットワーク１０を介して管理サーバー端末４０に接続する（ステップＡ１０１）。接続が完了した後に、ユーザーは、ユーザー端末２０を特定する個体情報（例えばユーザー端末２０が携帯電話である場合にはその電話番号など）と、エンジンをロックしようとする車両の個体情報（車体ナンバー等）と、ユーザー端末２０が管理サーバー端末４０にアクセスするために必要な認証パスワードとをユーザー端末２０に入力し、それらの情報をユーザー端末２０から管理サーバー端末４０に送信する（ステップＡ１０２）。
【００４６】
次に、管理サーバー端末４０は、アクセスしてきたユーザー端末２０の認証パスワードが正しいか、そのユーザー端末２０の個体情報がデーターベースに登録されているか、および送信されてきた車両の個体情報がそのユーザー端末２０の個体情報と関連付けられて登録されているか（すなわち、ユーザーがエンジンをロックしようとする車両がそのユーザーが所有する車両であるか）を確認する（ステップＡ１０３）。管理サーバー端末４０は、それらを全て満たしていると判断した場合には、次回にロックを解除するための新たな動作パスワードを生成し、これを車両端末３０に送信する（ステップＡ１０４）。このとき、管理サーバー端末４０は、その新たに生成した動作パスワードを記憶しておく。
【００４７】
車両端末３０は、管理サーバー端末４０から送られてきた動作パスワードを記憶し（ステップＡ１０５）、エンジン作動をロックするためのロック信号を車両制御部５０に対して送信する（ステップＡ１０６）。
【００４８】
車両制御部５０は、車両端末３０からロック信号を受信すると、エンジン作動をロックする（ステップＡ１０７）。これにより、その車両のエンジンは、エンジンを一旦停止した後は次に車両端末３０からロック解除信号を受信するまで作動不能になる。
【００４９】
＜エンジンのロック解除動作＞
図３は、図１に示した盗難防止システムによる、エンジンを作動させるためのロックを解除させる動作を説明するためのフローチャートである。
【００５０】
まず、上述したロック解除動作と同様に、管理サーバー端末４０へのユーザー端末２０の接続（ステップＢ１０１）と、ユーザー端末２０から管理サーバー端末４０への、ユーザー端末２０の個体情報、車両の個体情報、および認証パスワードの送信（ステップＢ１０２）と、管理サーバー端末４０によるそれらの情報の確認（ステップＢ１０３）とを行う。
【００５１】
管理サーバー端末４０は、確認の結果、それらを全て満たしていると判断した場合には、管理サーバー端末４０に記憶されている動作パスワードを車両端末３０に送信する（ステップＢ１０４）。
【００５２】
一方、上記の判断段階（ステップＢ１０３）においていずれか１つでも満たしていないと判断したときは、管理サーバー端末４０は車両端末３０への動作パスワードの送信を行わず、ユーザー端末２０に対してその旨の情報（動作パスワード不送信情報）を送信する。
【００５３】
車両端末３０は、管理サーバー端末４０から送られてきた動作パスワードと、車両端末３０が記憶している動作パスワードとを照合し、両者が同一であることを確認する（ステップＢ１０５）。両者が同一である場合には、車両端末３０は、エンジン作動のロックを解除するためのロック解除信号を車両制御部５０に送信する（ステップＢ１０６）。
【００５４】
車両制御部５０は、車両端末３０からロック解除信号を受信すると、エンジン作動のロックを解除する（ステップＢ１０７）。これにより、その車両のエンジンは作動可能になる。
【００５５】
一方、両者が同一でない場合には、車両端末３０はそのロック解除信号を車両制御部５０に送信せず、管理サーバー端末４０に対してその旨の情報（ロック解除信号不送信情報）を送信する。管理サーバー端末４０は、車両端末３０からロック解除信号不送信情報を受信すると、その車両端末３０に関連付けられているユーザー端末２０にそのロック解除信号不送信情報を送信する。
【００５６】
＜車両移動通知動作＞
図４は、図１に示した盗難防止システムにより、車両のエンジンがロックされている状態において車両が移動された場合にこれをユーザーに通知する動作について説明するためのフローチャートである。
【００５７】
車両端末３０は車両のスイッチがオンの間はもちろん、スイッチがオフの間も動作しており、車両端末３０が備えているＧＰＳ受信機によって、車両が移動しているかどうかを検知している。車両端末３０は、車両の移動を検知すると、車両移動検知信号を車両制御部５０に送信する（ステップＣ１０１）。
【００５８】
車両制御部５０は、車両端末３０から車両移動検知信号を受信すると、エンジンが作動しているかどうかを車両端末３０に知らせる。具体的には、エンジンが作動している場合にはその旨の信号（エンジン作動中信号）を車両端末３０に送信し、エンジンが作動していない場合にはその旨の信号（エンジン非作動中信号）を車両端末３０に送信する。
【００５９】
車両制御部５０から車両端末３０にエンジンが作動していない旨の信号（エンジン非作動中信号）が送信された場合には（ステップＣ１０２）、車両端末３０は、エンジンが動作していないにもかかわらず車両が移動されていると判断し、そのエンジン非作動中信号を管理サーバー端末４０に送信する（ステップＣ１０３）。
【００６０】
管理サーバー端末４０は、エンジン非作動中信号を車両端末３０から受信すると、車両が移動されている旨を示す情報（車両移動情報）を生成し、それをユーザー端末２０に送信する（ステップＣ１０４）。車両が移動されている旨の情報は、例えば「車両が移動されています」等の音声情報や文字情報からなる。ユーザー端末２０が携帯電話（ＰＨＳ（登録商標）等も含む）である場合には、管理サーバー端末４０はユーザー端末２０の携帯番号にダイヤルし、「車両が移動されています」等の音声情報をユーザー端末２０に送信する。また、ユーザー端末２０が電子メールの受信機能を備えている場合には、「車両が移動されています」等の文字情報をそのユーザー端末２０が有する電子メールアドレスに送信する。
【００６１】
この車両移動通知動作により、ユーザー端末２０を所持するユーザーは自分の車両が何者かによって移動させられていることを知ることができる。この場合、そのユーザーは、管理サーバー端末４０を管理している管理センターにその旨を連絡する。すると、管理センターは、その車両の車両端末３０が備えているＧＰＳ受信機を検知することによってその車両の現在位置を調べ、その位置をユーザーに知らせる。このようにして、ユーザーは、自分の車両が移動させられた場合であってもその車両の現在位置を知ることができる。
【００６２】
なお、上記の車両移動通知動作において、車両端末３０が、管理サーバー端末にエンジン非作動中信号を送信する際に、ＧＰＳ受信機（不図示）によって検知した車両の現在位置情報をエンジン非作動中信号とともに管理サーバー端末４０に送信し、管理サーバー端末５０が、ユーザー端末２０に車両移動情報を送信する際に、その車両移動情報とともに車両の現在位置情報をユーザー端末２０に送信してもよい。この場合、車両の現在位置情報はＧＰＳ座標の数値データや車両の現在位置を示す地図情報であってもよく、そのような車両の現在位置情報は、ＧＰＳ座標の数値データを読み上げる音声情報や、その数値データを示す文字情報、あるいは地図情報を示す画像情報としてユーザー端末２０に送信される。
【００６３】
このように構成されている場合には、ユーザーは、自分の車両が何者かによって移動させられている事実に加えて、その車両の現在位置をすみやかに知ることができる。
【００６４】
以上説明したように、本実施形態によれば、管理サーバー端末４０から車両端末３０に送られてきた動作パスワードと、車両端末３０が記憶している動作パスワードとが一致しなければ、エンジン作動のロックを解除するためのロック解除信号が車両端末３０から車両制御部５０に送信されず、エンジンは作動しない。動作パスワードは、ユーザー端末２０を用いたエンジンのロック解除動作を経ていなければ管理サーバー端末４０から車両端末３０に送信されない。したがって、車両のキーの合鍵が使用された場合のみならず、たとえ盗難された本物のキーが使用された場合であっても、それだけではエンジンを作動させることができず、車両を自走させて持ち去ることはできない。よって、車両の盗難をより確実に防止することができる。
【００６５】
また、車両を自走させるのではなく、車両がレッカー車等を用いて持ち去られた場合であっても、その事実が車両移動情報によってユーザー端末２０を介してユーザーにすみやかに知らされる。ユーザーは、管理センターを通じて車両の現在位置を確認することができる。さらに、車両移動情報とともに車両の現在位置情報がユーザー端末に送信される構成とした場合には、ユーザーは、車両がレッカー車等を用いて持ち去られた事実とその車両の現在位置とをすみやかに知ることができる。
【００６６】
（第２の実施形態）
図５は本発明の第２の実施形態に係る盗難防止システムの構成を示すブロック図である。
【００６７】
本実施形態の盗難防止システムでは、車両端末３０自体はインターネット等の通信ネットワーク１０に接続されず、車両端末３０はユーザー端末２０を介して通信ネットワーク１０に接続されるように構成されている。つまり、本実施形態では、車両端末３０と管理サーバー端末４０との間の情報のやりとりはユーザー端末２０を介して行われる。また、本実施形態における車両端末３０には、それが取り付けられている車両の個体情報（車両の車体ナンバー等）が記憶されている。
【００６８】
本実施形態の盗難防止システムにおける通信ネットワーク１０、ユーザー端末２０、車両端末３０、管理サーバー端末４０、および車両制御部５０のその他の構成と機能は、図１に示した第１の実施形態の盗難防止システムと同様であるので、それらに関する詳しい説明は省略する。
【００６９】
次に、本実施形態の盗難防止システムの各種動作について説明する。
【００７０】
＜エンジンのロック動作＞
図６は、図５に示した盗難防止システムによる、エンジンの作動をロックする動作を説明するためのフローチャートである。
【００７１】
まず、ユーザーは、ユーザー端末２０を車両端末３０に接続する（ステップＡ２０１）。車両端末３０にユーザー端末２０が接続されると、車両端末３０は、車両端末３０に記憶されている車両の個体情報をユーザー端末２０に送信する（ステップＡ２０２）。
【００７２】
次に、ユーザーは、ユーザー端末２０を通信ネットワーク１０を介して管理サーバー端末４０に接続する。接続が完了した後に、ユーザーは、ユーザー端末２０を特定する個体情報（例えばユーザー端末２０が携帯電話である場合にはその電話番号など）と、ユーザー端末２０が管理サーバー端末４０にアクセスするために必要な認証パスワードをユーザー端末２０に入力し、それらの情報と、ユーザー端末２０が車両端末３０から受信した車両の個体情報とをユーザー端末２０から管理サーバー端末４０に送信する（ステップＡ２０３）。
【００７３】
管理サーバー端末４０は、アクセスしてきたユーザー端末２０の認証パスワードが正しいか、そのユーザー端末２０の個体情報がデータベースに登録されているか、および送信されてきた車両の個体情報がそのユーザー端末２０の個体情報と関連付けられて登録されているか（すなわち、ユーザーが使用しようとする車両がそのユーザーが所有する車両であるか）を確認する（ステップＡ２０４）。管理サーバー端末４０は、それらを全て満たしていると判断した場合には、次回にロックを解除するための新たな動作パスワードを生成し、これを車両端末３０に送信する（ステップＡ２０５）。このとき、管理サーバー端末４０は、その新たに生成した動作パスワードを記憶しておく。
【００７４】
一方、上記の判断段階（ステップＡ２０４）においていずれか１つでも満たしていないと判断したときは、管理サーバー端末４０はユーザー端末２０への動作パスワードの送信を行わず、ユーザー端末２０に対してその旨の情報（動作パスワード不送信情報）を送信する。
【００７５】
ユーザー端末２０は、管理サーバー端末４０から動作パスワードを受信した場合には、その動作パスワードを車両端末３０に送信する（ステップＡ２０６）。車両端末３０は、ユーザー端末２０から送られてきた動作パスワードを記憶し（ステップＡ２０７）、エンジン作動をロックするためのロック信号を車両制御部５０に対して送信する（ステップＡ２０８）。
【００７６】
車両制御部５０は、車両端末３０からロック信号を受信すると、エンジン作動をロックする（ステップＡ２０９）。これにより、その車両のエンジンは、エンジンを一旦停止した後は次に車両端末３０からロック解除信号を受信するまで作動不能になる。
【００７７】
＜エンジンのロック解除動作＞
図７は、図５に示した盗難防止システムによる、エンジンを作動させるためのロックを解除させる動作を説明するためのフローチャートである。
【００７８】
まず、ユーザーは、ユーザー端末２０を車両端末３０に接続する（ステップＢ２０１）。車両端末３０にユーザー端末２０が接続されると、車両端末３０は、車両端末３０に記憶されている車両の個体情報をユーザー端末２０に送信する（ステップＢ２０２）。
【００７９】
次に、ユーザーは、ユーザー端末２０を通信ネットワーク１０を介して管理サーバー端末４０に接続する。接続が完了した後に、ユーザーは、ユーザー端末２０を特定する個体情報（例えばユーザー端末２０が携帯電話である場合にはその電話番号など）と、ユーザー端末２０が管理サーバー端末４０にアクセスするために必要な認証パスワードをユーザー端末２０に入力し、それらの情報と、ユーザー端末２０が車両端末３０から受信した車両の個体情報とをユーザー端末２０から管理サーバー端末４０に送信する（ステップＢ２０３）。
【００８０】
管理サーバー端末４０は、アクセスしてきたユーザー端末２０の認証パスワードが正しいか、そのユーザー端末２０の個体情報がデータベースに登録されているか、および送信されてきた車両の個体情報がそのユーザー端末２０の個体情報と関連付けられて登録されているか（すなわち、ユーザーが使用しようとする車両がそのユーザーが所有する車両であるか）を確認する（ステップＢ２０４）。管理サーバー端末４０は、それらを全て満たしていると判断した場合には、管理サーバー端末４０に記憶されている動作パスワードをユーザー端末２０に送信する（ステップＢ２０５）。
【００８１】
一方、上記の判断段階（ステップＢ２０４）においていずれか１つでも満たしていないと判断したときは、管理サーバー端末４０はユーザー端末２０への動作パスワードの送信を行わず、ユーザー端末２０に対してその旨の情報（動作パスワード不送信情報）を送信する。
【００８２】
ユーザー端末２０は、管理サーバー端末４０から動作パスワードを受信した場合には、その動作パスワードを車両端末３０に送信する（ステップＢ２０６）。車両端末３０は、ユーザー端末２０から送られてきた動作パスワードと、車両端末３０が記憶している動作パスワードとを照合し、両者が同一であることを確認する（ステップＢ２０７）。両者が同一である場合には、車両端末３０は、エンジン作動のロックを解除するためのロック解除信号を車両制御部５０に送信する（ステップＢ２０８）。
【００８３】
車両制御部５０は、車両端末３０からロック解除信号を受信すると、エンジン作動のロックを解除する（ステップＢ２０９）。これにより、その車両のエンジンは作動可能になる。
【００８４】
一方、両者が同一でない場合には、車両端末３０はそのロック解除信号を車両制御部５０に送信せず、ユーザー端末２０に対してその旨の情報（ロック解除信号不送信情報）を送信する。
【００８５】
以上説明したように、本実施形態によっても、管理サーバー端末４０から車両端末３０に送られてきた動作パスワードと、車両端末３０が記憶している動作パスワードとが一致しなければ、エンジン作動のロックを解除するためのロック解除信号が車両端末３０から車両制御部５０に送信されず、エンジンは作動しない。動作パスワードは、ユーザー端末２０を用いたエンジンのロック解除動作を経ていなければ管理サーバー端末４０から車両端末３０に送信されない。したがって、車両のキーの合鍵が使用された場合のみならず、たとえ盗難された本物のキーが使用された場合であっても、それだけではエンジンを作動させることができず、車両を自走させて持ち去ることはできない。よって、車両の盗難をより確実に防止することができる。
【図面の簡単な説明】
【００８６】
【図１】本発明の第１の実施形態に係る盗難防止システムの構成を示すブロック図である。
【図２】図１に示した盗難防止システムによる、エンジンの作動をロックする動作を説明するためのフローチャートである。
【図３】図１に示した盗難防止システムによる、エンジンを作動させるためのロックを解除させる動作を説明するためのフローチャートである。
【図４】図１に示した盗難防止システムにより、車両のエンジンがロックされている状態において車両が移動された場合にこれをユーザーに通知する動作について説明するためのフローチャートである。
【図５】本発明の第２の実施形態に係る盗難防止システムの構成を示すブロック図である。
【図６】図５に示した盗難防止システムによる、エンジンの作動をロックする動作を説明するためのフローチャートである。
【図７】図５に示した盗難防止システムによる、エンジンを作動させるためのロックを解除させる動作を説明するためのフローチャートである。
【図８】従来の車両用セキュリティシステムを示す図である。
【符号の説明】
【００８７】
１０    通信ネットワーク
２０    ユーザー端末
３０    車両端末
４０    管理サーバー端末
５０    車両制御部
【図１】
2005088786.tif 000003
【図２】
2005088786.tif 000004
【図３】
2005088786.tif 000005
【図４】
2005088786.tif 000006
【図５】
2005088786.tif 000007
【図６】
2005088786.tif 000008
【図７】
2005088786.tif 000009
【図８】
2005088786.tif 000010